【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
対向する電極板間に浄化処理すべき循環水を流し、該電極板間に直流電圧を印加し、循環水中の金属イオンを負極側の電極板に電解析出させて該循環水を浄化させる循環水の浄化方法において、該電極板としてチタン板を使用し、該電極板のうちの正極側の電極板の表面に生成される陽極酸化被膜に印加する電圧を高めて該陽極酸化被膜を強制的に絶縁破壊させながら、所望量の電流を流すようにしたことを特徴とする循環水の浄化方法。
【請求項２】
前記電極板間に印加する電圧の極性を所定時間毎に切り替えるようにしたことを特徴とする請求項１に記載の循環水の浄化方法。
【請求項３】
前記電極板間に流す電流を定電流としたことを特徴とする請求項１又は２に記載の循環水の浄化方法。
【請求項４】
前記電極板間に流す電流が、正極側の電極板の単位面積（１ｍ２）当たり０．１〜２０Ａであることを特徴とする請求項３に記載の循環水の浄化方法。
【請求項５】
前記電極板間に印加する電圧を一定とし、該電極板間を流れる電流の値が所定値を下回った場合は、前記電極板間に印加する電圧を上げ、該電極板間を流れる電流の値が所定値以上になった場合は、前記電極板間に印加する電圧を元に戻すことを特徴とする請求項１又は２に記載の循環水の浄化方法。
【請求項６】
前記循環水の電気伝導度が所定値Ａより高い場合は前記電極板間を流れる電流を増加させ、前記循環水の電気伝導度が所定値Ｂより低い場合は前記電極板間を流れる電流を減少させ、該所定値Ａと該所定値ＢをＡ≧Ｂの関係にしたことを特徴とする請求項１又は２に記載の循環水の浄化方法。
【請求項７】
前記循環水の電気伝導度の前記所定値Ａが５００〜１０００μＳ／ｃｍ、前記所定値Ｂが５００〜１０００μＳ／ｃｍであることを特徴とする請求項６に記載の循環水の浄化方法。
【請求項８】
前記循環水の酸化還元電位が所定値Ｃより高い場合は前記電極板間を流れる電流を増加させ、前記循環水の酸化還元電位が所定値Ｄより低い場合は前記電極板間を流れる電流を減少させ、該所定値Ｃと該所定値ＤをＣ≧Ｄの関係にしたことを特徴とする請求項１又は２に記載の循環水の浄化方法。
【請求項９】
前記循環水の酸化還元電位の前記所定値Ｃが＋１００〜−１００ｍＶ、前記所定値Ｄが＋１００〜−１００ｍＶであることを特徴とする請求項８に記載の循環水の浄化方法。
【請求項１０】
浄化処理すべき循環水を受け入れて排出する浄化槽と、該浄化槽内に設置されている１又は２以上の第一電極板と、該浄化槽内に該第一電極板と所定間隔をおいて設置されている１又は２以上の第二電極板と、該第一電極板と該第二電極板の間に直流電圧を印加する直流電源装置とを備え、該第一電極板及び該第二電極板はいずれもチタン板からなり、該直流電源装置は該第一電極板又は該第二電極板の表面に生成される陽極酸化被膜を絶縁破壊によって剥離・除去させる電圧を出力する直流安定化電源であることを特徴とする循環水の浄化装置。
【請求項１１】
前記直流電源装置から前記該第一電極板及び前記第二電極板に印加されている電圧の極性を所定時間毎に切り替える極性切替装置を備えていることを特徴とする請求項１０に記載の循環水の浄化装置。
【請求項１２】
前記直流電源装置が、前記第一電極板と前記第二電極板の間に正極となるいずれか一方の電極板の単位面積（１ｍ２）当たり０．１〜２０Ａの定電流を流す定電流電源装置であることを特徴とする請求項１０又は１１に記載の循環水の浄化装置。
【請求項１３】
前記直流電源装置が直流定電圧電源装置からなり、電極板間を流れる電流の値を測定する電流計を備え、該電流計によって測定された電流の値が所定の値より小さくなった場合は前記直流電源装置の出力電圧を高くし、該電流計によって測定された電流の値が所定の値より大きくなった場合は前記直流電源装置の出力電圧を低くする電圧制御装置を備えていることを特徴とする請求項１０又は１１に記載の循環水の浄化装置。
【請求項１４】
前記循環水の電気伝導度を計測する電気伝導度計と、該電気伝導度計によって得られた電気伝導度が所定値Ａより高い場合は前記直流電源装置の出力電圧を高くして前記電極板間を流れる電流を増加させ、該電気伝導度計によって得られた電気伝導度が所定値Ｂより低い場合は前記直流電源装置の出力電圧を低くして前記電極板間を流れる電流を減少させる、該所定値Ａと該所定値ＢがＡ≧Ｂの関係にある電流制御装置を備えていることを特徴とする請求項１０又は１１に記載の循環水の浄化装置。
【請求項１５】
前記循環水の電気伝導度の前記所定値Ａが５００〜１０００μＳ／ｃｍ、前記所定値Ｂが５００〜１０００μＳ／ｃｍであることを特徴とする請求項１４に記載の循環水の浄化装置。
【請求項１６】
前記循環水の酸化還元電位を計測する酸化還元電位計と、該酸化還元電位計によって得られた酸化還元電位が所定値Ｃより高い場合は前記直流電源装置の出力電圧を高くして前記電極板間を流れる電流を増加させ、該酸化還元電位計によって得られた酸化還元電位が所定値Ｄより低い場合は前記直流電源装置の出力電圧を低くして前記電極板間を流れる電流を減少させる、該所定値Ｃと該所定値ＤがＣ≧Ｄの関係にある電流制御装置を備えていることを特徴とする請求項１０又は１１に記載の循環水の浄化装置。
【請求項１７】
前記循環水の酸化還元電位の前記所定値Ｃが＋１００〜−１００ｍＶ、前記所定値Ｄが＋１００〜−１００ｍＶであることを特徴とする請求項１６に記載の循環水の浄化装置。
【手続補正２】
【補正対象書類名】明細書
【補正対象項目名】００２３
【補正方法】変更
【補正の内容】
【００２３】
また、前記循環水の電気伝導度が所定値Ａより高い場合は前記電極板間を流れる電流を増加させ、前記循環水の電気伝導度が所定値Ｂより低い場合は前記電極板間を流れる電流を減少させ、該所定値Ａと該所定値ＢをＡ≧Ｂの関係としてもよい。前記循環水の電気伝導度の前記所定値Ａは５００〜１０００μＳ／ｃｍ、前記所定値Ｂは５００〜１０００μＳ／ｃｍが好ましい。
【手続補正３】
【補正対象書類名】明細書
【補正対象項目名】００２４
【補正方法】変更
【補正の内容】
【００２４】
また、前記循環水の酸化還元電位が所定値Ｃより高い場合は前記電極板間を流れる電流を増加させ、前記循環水の酸化還元電位が所定値Ｄより低い場合は前記電極板間を流れる電流を減少させ、該所定値Ｃと該所定値ＤをＣ≧Ｄの関係としてもよい。前記循環水の酸化還元電位の前記所定値Ｃは＋１００〜−１００ｍＶ、前記所定値Ｄは＋１００〜−１００ｍＶが好ましい。
【手続補正４】
【補正対象書類名】明細書
【補正対象項目名】００２９
【補正方法】変更
【補正の内容】
【００２９】
また、この循環水の浄化装置は、前記循環水の電気伝導度を計測する電気伝導度計と、該電気伝導度計によって得られた電気伝導度が所定値Ａより高い場合は前記直流電源装置の出力電圧を高くして前記電極板間を流れる電流を増加させ、該電気伝導度計によって得られた電気伝導度が所定値Ｂより低い場合は前記直流電源装置の出力電圧を低くして前記電極板間を流れる電流を減少させる、該所定値Ａと該所定値ＢがＡ≧Ｂの関係にある電流制御装置を備えていてもよい。
【手続補正５】
【補正対象書類名】明細書
【補正対象項目名】００３０
【補正方法】変更
【補正の内容】
【００３０】
ここで、前記循環水の電気伝導度の前記所定値Ａとして５００〜１０００μＳ／ｃｍ、前記所定値Ｂとして５００〜１０００μＳ／ｃｍを採用するのが好ましい。
【手続補正６】
【補正対象書類名】明細書
【補正対象項目名】００３１
【補正方法】変更
【補正の内容】
【００３１】
また、この循環水の浄化装置は、前記循環水の酸化還元電位を計測する酸化還元電位計と、該酸化還元電位計によって得られた酸化還元電位が所定値Ｃより高い場合は前記直流電源装置の出力電圧を高くして前記電極板間を流れる電流を増加させ、該酸化還元電位計によって得られた酸化還元電位が所定値Ｄより低い場合は前記直流電源装置の出力電圧を低くして前記電極板間を流れる電流を減少させる、該所定値Ｃと該所定値ＤがＣ≧Ｄの関係にある電流制御装置を備えていてもよい。
【手続補正７】
【補正対象書類名】明細書
【補正対象項目名】００３２
【補正方法】変更
【補正の内容】
【００３２】
ここで、前記循環水の酸化還元電位の前記所定値Ｃとしては＋１００〜−１００ｍＶ、前記所定値Ｄとしては＋１００〜−１００ｍＶを採用するのが好ましい。そして、前記循環水の酸化還元電位の前記所定値Ｃとして−５０〜０ｍＶ、前記所定値Ｄとして−５０〜０ｍＶを採用するのがより望ましい。
【手続補正８】
【補正対象書類名】明細書
【補正対象項目名】００７２
【補正方法】変更
【補正の内容】
【００７２】
実施例４．と同様に、循環水の酸化還元電位を計測する酸化還元電位計と、定電流電源装置を用い、酸化還元電位計によって得られた酸化還元電位の高低に応じて電極板ユニット１４に供給される電流の量を増加させた。すなわち、酸化還元電位が２００ｍＶを超えた場合、電流を１００％増加させた。その結果、図８に示すように１００％増加させたときは２８０ｍＶが−６０ｍＶに減少した。この結果から、電極板ユニット１４に供給する電流を増減することにより、目的とする性能を制御できることがわかる。
【手続補正９】
【補正対象書類名】図面
【補正対象項目名】図６
【補正方法】変更
【補正の内容】
【図６】
2006255543.tif 000001